(57)【要約】【課題】個性的なイルミネーション表示となる発光パターンを確実かつ迅速に作成して報知に用いることができること。【解決手段】光を点灯、消灯する複数の発光領域を有する発光部を備える携帯通信装置において、画像の入力を受け付ける画像入力部と、前記画像入力部が受け付けた画像の色情報に基づき、該画像の特徴点を抽出する特徴点抽出部と、前記特徴点抽出部が抽出した特徴点を表わす図形を前記発光部に表示させるように、前記発光領域各々の発光パターンを生成する発光パターン生成部と、前記発光領域各々を、前記発光パターン生成部が生成した発光パターンで発光させて前記特徴点を表わす図形を表示させる発光パターン制御部と、を備えることを特徴とする携帯通信装置。【選択図】図３
2010102097.tif 000002
【特許請求の範囲】
【請求項１】
光を点灯、消灯する複数の発光領域を有する発光部を備える携帯通信装置において、
画像の入力を受け付ける画像入力部と、
前記画像入力部が受け付けた画像の色情報に基づき、該画像の特徴点を抽出する特徴点抽出部と、
前記特徴点抽出部が抽出した特徴点を表わす図形を前記発光部に表示させるように、前記発光領域各々の発光パターンを生成する発光パターン生成部と、
前記発光領域各々を、前記発光パターン生成部が生成した発光パターンで発光させて前記特徴点を表わす図形を表示させる発光パターン制御部と、
を備えることを特徴とする携帯通信装置。
【請求項２】
前記特徴点抽出部は、前記画像中の色情報の位置的変化に基づき、該画像中の物体の輪郭を前記特徴点として抽出すること
を特徴とする請求項１に記載の携帯通信装置。
【請求項３】
前記画像は、時間的変化をする動画であり、
前記特徴点抽出部は、前記動画中の色情報の時間的変化を、前記特徴点として抽出すること
を特徴とする請求項１又は請求項２に記載の携帯通信装置。
【請求項４】
前記発光パターン生成部は、生成した複数の前記発光パターンから選択された少なくとも２つの前記発光パターンを、時間順に組み合わせて前記発光パターンを生成すること
を特徴とする請求項１乃至請求項３のいずれか１の項に記載の携帯通信装置。
【請求項５】
撮像した画像を生成する撮像部を備え、
前記画像入力部は、前記撮像部が生成した画像の入力を受け付けること
を特徴とする請求項１乃至請求項４のいずれか１の項に記載の携帯通信装置。
【請求項６】
前記画像入力部は、通信にて得た画像の入力を受け付けること
を特徴とする請求項１乃至請求項４のいずれか１の項に記載の携帯通信装置。
【請求項７】
光を点灯、消灯する複数の発光領域からなる発光部を備える携帯通信装置における表示制御方法おいて、
前記携帯通信装置が、画像の入力を受け付ける第１の過程と、
前記第１の過程にて受け付けた画像の色情報に基づき、該画像の特徴点を抽出する第２の過程と、
前記携帯通信装置が、前記第２の過程にて抽出した特徴点を表わす図形を前記発光部に表示させるように、前記発光領域各々の発光パターンを生成する第３の過程と、
前記携帯通信装置が、前記発光領域各々を、前記第３の過程にて生成した発光パターンで発光させて前記特徴点を表わす図形を表示させる第４の過程と、
を有することを特徴とする表示制御方法。
【請求項８】
光を点灯、消灯する複数の発光領域からなる発光部を備える携帯通信装置のコンピュータに、
画像の入力を受け付ける画像入力手段、
前記画像入力手段にて受け付けた画像の色情報に基づき、該画像の特徴点を抽出する特徴点抽出手段、
前記特徴点抽出手段にて抽出した特徴点を表わす図形を前記発光部に表示させるように、前記発光領域各々の発光パターンを生成する発光パターン生成手段、
前記発光領域各々を、前記発光パターン生成手段にて生成した発光パターンで発光させて前記特徴点を表わす図形を表示させる発光パターン制御手段、
として機能させる表示制御プログラム。
【発明の詳細な説明】
【技術分野】
【０００１】
本発明は、携帯通信装置、表示制御方法、及び表示制御プログラムに関する。
【背景技術】
【０００２】
携帯通信装置の一例として、携帯電話装置を例にして背景技術について記述する。携帯電話装置において、音声着信やメール着信、Ｗｅｂ情報などの着信を、ユーザに報知する手段として、音、携帯電話装置の振動、光を用いたイルミネーション（電飾）表示等による報知手段が知られている。このイルミネーション表示による報知手段とは、携帯電話装置が、光を点灯、消灯する発光領域を発光パターン（色、光の強さ、点灯や消灯のタイミング等）で発光させ、複数の発光領域からなる発光部に図形を表示させることにより報知を行う手段である。
従来、このイルミネーション表示による報知手段では、携帯電話装置の製造時に記憶させた発光パターンで発光領域を発光させて、携帯電話装置が報知を行う技術が知られていた。また、近年のイルミネーション表示による報知手段では、インターネットを介してダウンロードした発光パターン、又は、ソフトウェアを用いてユーザが作成した発光パターンで発光領域を発光させて、携帯電話装置が報知を行う技術が知られている。
【０００３】
例えば、特許文献１には、複数の異なる色のＬＥＤをテンポごとにそれぞれ駆動することによって、複数のＬＥＤの点滅の組み合わせによる点灯色の変化のパターンを生じさせるための報知パターンのデータとそのテンポのデータとを格納するメモリ手段と、該メモリ手段から書き込まれたデータによって、複数のＬＥＤを駆動するための駆動データを繰り返して発生する駆動データ発生手段と、駆動データに応じて複数のＬＥＤをそれぞれ独立に駆動する駆動手段とを備え、メモリ手段のデータを外部から設定可能なように構成されていることを特徴とする携帯電話の着信報知パターン設定回路が記載されている。
この技術は、外部から設定した発光パターンの情報をメモリ手段に格納し、該格納した情報の発光パターンで複数のＬＥＤを点滅させることにより、携帯電話装置が報知を行う技術である。
【０００４】
また、特許文献１には、メモリ手段に格納する報知パターンデータとそのテンポのデータとを、操作部から入力する携帯電話装置の着信報知パターン設定方法が記載されている。
この技術は、ユーザが直接、携帯電話装置の操作部における操作をすることにより、発光パターンを生成して発光パターンの情報をメモリ手段に格納させる技術である。
【特許文献１】特開２００１−１５７２５４号公報
【発明の開示】
【発明が解決しようとする課題】
【０００５】
しかしながら、携帯電話装置の製造時に記憶させた発光パターンや、インターネットを介してダウンロードした発光パターン発光領域を発光させて、携帯電話装置が報知を行う技術では、複数の発光領域からなる発光部に表示されたイルミネーション表示が画一的であるため、個性（オリジナリティ）に欠けるという欠点があった。
また、操作部から入力により生成した発光パターンで発光領域を発光させて、携帯電話装置が報知を行う技術では、ユーザ自身が所望するイルミネーション表示となる発光パターンを確実かつ迅速に作成することが困難であるという欠点があった。特に、携帯電話装置のような入力キーが小さく、その数も少ない入力インターフェイスでは、操作に時間がかかるという欠点があった。また、パソコンと連携してパソコン上で作成する発光パターンにおいても、同様に操作に時間がかかっていた。
このように、従来の技術では、個性的なイルミネーション表示となる発光パターンを確実かつ迅速に作成して報知に用いることができない、という欠点があった。
【０００６】
本発明は上記の点に鑑みてなされたものであり、その目的は、個性的なイルミネーション表示となる発光パターンを確実かつ迅速に作成して報知に用いることができる携帯通信装置、表示制御方法、及び表示制御プログラムを提供することにある。
【課題を解決するための手段】
【０００７】
（１）本発明は上記の課題を解決するためになされたものであり、その一態様は、光を点灯、消灯する複数の発光領域を有する発光部を備える携帯通信装置において、画像の入力を受け付ける画像入力部と、前記画像入力部が受け付けた画像の色情報に基づき、該画像の特徴点を抽出する特徴点抽出部と、前記特徴点抽出部が抽出した特徴点を表わす図形を前記発光部に表示させるように、前記発光領域各々の発光パターンを生成する発光パターン生成部と、前記発光領域各々を、前記発光パターン生成部が生成した発光パターンで発光させて前記特徴点を表わす図形を表示させる発光パターン制御部と、を備えることを特徴とする携帯通信装置である。
上記構成によると、前記携帯通信装置は、入力された画像の色情報に基づき、該画像の特徴点を抽出し、抽出した特徴点を表わす図形を前記発光部に表示させるように、前記発光領域各々の発光パターンを生成して、生成した発光パターンで前記発光領域各々を発光させ、前記発光部に抽出した特徴点を表わす図形を表示させるので、個性的なイルミネーション表示となる発光パターンを確実かつ迅速に作成して報知に用いることができる。
【０００８】
（２）また、本発明の一態様は、前記特徴点抽出部は、前記画像中の色情報の位置的変化に基づき、該画像中の物体の輪郭を前記特徴点として抽出することを特徴とする携帯通信装置である。
上記構成によると、前記携帯通信装置は、前記画像中の物体の輪郭を前記特徴点として抽出し、抽出した特徴点を表わす図形を表示させることにより、着信等の情報を報知するので、携帯通信装置のユーザ所望の輪郭を有する物体の画像を入力することで、該輪郭をイルミネーション表示する発光パターンを確実かつ迅速に作成して報知に用いることができる。
【０００９】
（３）また、本発明の一態様は、前記画像は、時間的変化をする動画であり、前記特徴点抽出部は、前記動画中の色情報の時間的変化を、前記特徴点として抽出することを特徴とする携帯通信装置である。
上記構成によると、前記携帯通信装置は、前記動画中の色情報の時間的変化を、前記特徴点として抽出し、抽出した特徴点を表わす図形を表示させるので、色情報が時間的変化をするイルミネーション表示の発光パターンを確実かつ迅速に作成して報知に用いることができる。
【００１０】
（４）また、本発明の一態様は、前記発光パターン生成部は、生成した複数の前記発光パターンから選択された少なくとも２つの前記発光パターンを、時間順に組み合わせて前記発光パターンを生成することを特徴とする携帯通信装置である。
上記構成によると、前記携帯通信装置は、予め生成した複数の前記発光パターンから選択された少なくとも２つの前記発光パターンを、時間順に組み合わせて前記発光パターンを生成するので、携帯通信装置のユーザ所望のイルミネーション表示を時間順に組み合わせた発光パターンを確実かつ迅速に作成して報知に用いることができる。
【００１１】
（５）また、本発明の一態様は、撮像した画像を生成する撮像部を備え、前記画像入力部は、前記撮像部が生成した画像の入力を受け付けることを特徴とする携帯通信装置である。
上記構成によると、前記携帯通信装置は、撮像した画像の入力を受付けて特徴点を抽出し、抽出した特徴点を表わす図形を表示させることにより、撮像した画像から、個性的なイルミネーション表示となる発光パターンを確実かつ迅速に作成して報知に用いることができる。
【００１２】
（６）また、本発明の一態様は、光を点灯、消灯する複数の発光領域からなる発光部を備える携帯通信装置における報知方法おいて、前記携帯通信装置が、画像の入力を受け付ける第１の過程と、前記第１の過程にて受け付けた画像の色情報に基づき、該画像の特徴点を抽出する第２の過程と、前記携帯通信装置が、前記第２の過程にて抽出した特徴点を表わす図形を前記発光部に表示させるように、前記発光領域各々の発光パターンを生成する第３の過程と、前記携帯通信装置が、前記発光領域各々を、前記第３の過程にて生成した発光パターンで発光させて前記特徴点を表わす図形を表示させる第４の過程と、を有することを特徴とする報知制御方法である。
【００１３】
（７）また、本発明の一態様は、光を点灯、消灯する複数の発光領域からなる発光部を備える携帯通信装置のコンピュータに、画像の入力を受け付ける画像入力手段、前記画像入力手段にて受け付けた画像の色情報に基づき、該画像の特徴点を抽出する特徴点抽出手段、前記特徴点抽出手段にて抽出した特徴点を表わす図形を前記発光部に表示させるように、前記発光領域各々の発光パターンを生成する発光パターン生成手段、前記発光領域各々を、前記発光パターン生成手段にて生成した発光パターンで発光させて前記特徴点を表わす図形を表示させる発光パターン制御手段、として機能させる報知制御プログラムである。
【発明の効果】
【００１４】
本発明によれば、携帯通信装置は、入力された画像の色情報に基づき、画像の特徴点を抽出し、抽出した特徴点を表わす図形を前記発光部に表示させるように、発光領域各々の発光パターンを生成して、生成した発光パターンで発光領域各々を発光させ、発光部に抽出した特徴点を表わす図形を表示させるので、個性的なイルミネーション表示となる発光パターンを確実かつ迅速に作成して報知に用いることができる。
【発明を実施するための最良の形態】
【００１５】
＜携帯通信装置の一例：携帯電話装置１の外観について＞
以下、図面を参照しながら本発明の実施形態について詳しく説明する。
図１は、この発明の実施形態に係る携帯通信装置の一例として記述する携帯電話装置１の外観を示す概略的外観図である。本実施形態において、携帯電話装置１はクラムシェルタイプの携帯電話装置である。図１（ａ）は、携帯電話装置１を開いた状態の内側の外観図であり、図１（ｂ）は、携帯電話装置１を開いた状態の外側の外観図である。
【００１６】
図１（ａ）に示すように、携帯電話装置１は、表示部１２、及び、十字キー等のキーからなる操作部１３を備える。表示部１２は、液晶ディスプレイであり、文字や画像等の情報を表示する。また、携帯電話装置１は、操作部１３のキーの押下により、表示部１２に表示されたカーソルの操作や、情報の入力を受け付ける。
【００１７】
図１（ｂ）に示すように、携帯電話装置１は、撮像部１１、及び、発光部１６、を備える。撮像部１１は、携帯電話装置１に備えられたカメラである。また、発光部１６は、複数のＬＥＤ（Ｌｉｇｈｔ  Ｅｍｉｔｔｉｎｇ  Ｄｉｏｄｅ：発光ダイオード）を敷き詰めた電光表示板と、その電光表示板を覆う半透明のカバーとを含んで備える。発光部１６は、ＬＥＤ各々の光を点灯、消灯することにより、カバー部分に光を点灯、消灯させる発光領域を生成する。発光部１６は、複数のＬＥＤの光を発光パターンにより、点灯、消灯することにより、図形の表示（以下、イルミネーション表示という）を行う。
【００１８】
図２は、本実施形態に係る携帯電話装置１の外観を示す別の概略的外観図である。図２（ａ）は、図１（ａ）の表示部１２の部分を拡大して示す外観図であり、図２（ｂ）は、図１（ｂ）の発光部１６の部分を拡大して示す外観図である。
図２（ａ）は、表示部１２に画像Ａ１が表示されていることを示す。画像Ａ１は、後述する画像入力部１４１が入力を受け付けた画像であり、物体ａ１を撮像した画像である。
【００１９】
図２（ｂ）は、発光部１６にイルミネーション表示されていることを示す。この図において、ハッチングされ実線の円で囲まれた領域と、点線の円で囲まれた領域とは、点灯している表示領域を示し、また、ハッチングされ実線の円で囲まれた複数の表示領域の集合ａ２１と、点線の円で囲まれた複数の表示領域の集合ａ２２とは、点灯する光の色、又は、光の強さが異なることを示す。
また、この図は、本実施形態の携帯電話装置１において、画像Ａ１の物体ａ１の輪郭を特徴点として抽出し、その特徴点を表わす図形を、表示領域の集合ａ２１を点灯することによってイルミネーション表示を施していることを示す。
【００２０】
＜携帯電話装置１の構成について＞
以下、携帯電話装置１の構成について説明をする。
図３は、本実施形態に係る携帯電話装置１の構成を示す概略的ブロック図である。携帯電話装置１は、通信部１０、撮像部１１、表示部１２、操作部１３、制御部１４、計時部１５、及び発光部１６を含んで構成される。
また、制御部１４は、画像データ記憶部１４０、画像入力部１４１、特徴点抽出部１４２、発光パターン生成部１４３、発光パターン制御部１４４、及び発光パターン記憶部１４５を含んで構成される。
なお、図３においては、本実施形態の説明に関連する携帯電話装置１の構成の概略のみを示す。
【００２１】
通信部１０は、基地局装置と無線通信を行う。通信部１０は、携帯電話装置１のユーザによる操作部１３の操作に基づき、基地局装置を介してインターネットのウェブサイトから画像を表示部１２に表示し、必要に応じてダウンロードし、画像入力部１４１に出力する。また、通信部１０は、ダウンロードした画像を画像データ記憶部１４０に記憶させてもよい。
また、通信部１０は、携帯電話装置１への音声着信やメール着信、Ｗｅｂ情報などの着信を示す着信信号を受信すると着信情報を、表示部１２に表示し、発光パターン制御部１４４に出力する。
【００２２】
撮像部１１は、レンズとＣＣＤ（ＣｈａｒｇｅＣｏｕｐｌｅｄＤｅｖｉｃｅ；電荷結合素子）等の光センサを含んで構成され、デジタルカメラ機能を有する。撮像部１１は、携帯電話装置１のユーザによる操作部１３の操作に基づき、画像を撮像する。撮像部１１は、撮像した画像情報を表示部１２に表示し、撮像した画像を画像入力部１４０に出力する。また、撮像部１１は、撮像した画像情報を画像データ記憶部１４０に記憶させてもよい。
なお、撮像部１１が撮像する画像は、静止画だけでなく動画であってもよい。
【００２３】
表示部１２は、通信部１０、若しくは撮像部１１から入力された画像、又は、画像データ記憶部１４０から読み出した画像を表示する。また、表示部１２は、特徴点抽出部１４２で抽出した特徴点や発行パターン制御部１４４から入力された情報を表示する。
操作部１３は、携帯電話装置１のユーザによる情報の入力を受け付ける。操作部１３は、受け付けた情報を、発光パターン生成部１４３に出力する。
【００２４】
画像データ記憶部１４０は、画像を記憶する。なお、画像データ記憶部１４０には、携帯電話の製造時に、製造装置によって予め定められた画像を記憶させてもよいし、ソフトウェア等を用いてユーザが作成した画像を記憶させてもよい。また、画像データ記憶部１４０は、図示しないフラッシュメモリ等のメモリーカードの入力部から携帯電話装置１に入力されたメモリーカードが記憶する画像を記憶させてもよい。
【００２５】
画像入力部１４１は、画像データ記憶部１４０から画像を読み込む。例えば、画像入力部１４１は、撮像部１１が生成して画像データ記憶部１４０に記憶させた画像を読み込む。つまり、画像入力部１４１は、撮像部１１が生成した画像の入力を受け付ける。
画像入力部１４１は、読み込んだ画像を特徴点抽出部１４２に出力する。
【００２６】
特徴点抽出部１４２は、画像入力部１４１から入力された画像の特徴点を抽出する。ここで、特徴点とは、例えば、画像中の物体の輪郭、色情報（例えば、色相、彩度、輝度（又は明度））、配置、光源、であり、画像が動画の場合は、さらに、この特徴点の変化、例えば、色情報の変化である。
本実施形態では、特徴点が物体の輪郭、又は、色情報の変化である場合について説明する。なお、物体の輪郭、及び、色情報の変化の抽出方法の詳細については、後述する（図４、図５、図６）。
特徴点抽出部１４２は、抽出した特徴点を表わす画像を生成し、生成した特徴点を表わす画像を表示部１２に表示させる。また、特徴点抽出部１４２は、発光パターン生成部１４３に出力する。
【００２７】
発光パターン生成部１４３は、特徴点抽出部１４２から入力された特徴点を表わす画像を、発光部１６の発光領域の数で表わされる解像度の画像に変換する。本実施形態では、発光部１６の発光領域の数で表わされる解像度は、特徴点抽出部１４２から入力された特徴点を表わす画像の解像度より小さいものとする。
ここで、発光パターン生成部１４３は、特徴点抽出部１４２から入力された画像中の物体の輪郭を表す画素、色情報の変化がある画素に対応する変換後の画像中の画素を、それぞれ、物体の輪郭を表す画素、色情報の変化がある画素として、物体の輪郭、色情報の変化を表わす図形（特徴点を表わす図形）を生成する。
また、発光パターン生成部１４３は、後述するように、発行パターン制御部１４４の制御に基づき、特徴点を表わす図形を変更する。また、発光パターン生成部１４３は、後述するように、発行パターン制御部１４４の制御に基づき、発光部１６の発光領域各々の発光パターンを生成する。
発光パターン生成部１４３は、生成した特徴点を表わす図形の画像を、発行パターン制御部１４４に出力する。
【００２８】
発行パターン制御部１４４は、発光パターン生成部１４３から入力された特徴点を表わす図形の画像を、表示部１２に表示させる。
発行パターン制御部１４４は、操作部１３からの情報の入力を受付け、特徴点を表わす図形の再生成の有無、特徴点を表わす図形のうちイルミネーション表示をする表示部分の変更、イルミネーション表示する特徴点を表わす図形の大きさ及び配置の変更、を受け付ける。発行パターン制御部１４４は、受け付けた情報に基づき、発光パターン生成部１４３に、特徴点を表わす図形を変更させる制御を行う。なお、この発行パターン制御部１４４が行う表示部分の変更処理についての詳細は、後述する（図８（ｂ）、（ｃ））。
発行パターン制御部１４４は、発光パターン生成部１４３に変更させた特徴点を表わす図形の画像を、表示部１２に表示させる。
【００２９】
発行パターン制御部１４４は、操作部１３からの情報の入力を受付け、発光パターン生成部１４３から入力された特徴点を表わす図形について、発光情報の設定を受け付ける。発光情報の設定は、例えば、輪郭や、輪郭で囲まれた内部又は外部について、発光の有無、発光する色情報、点滅の周期等の設定である。なお、発光パターン生成部１４３は、計時部１５から入力された計時情報によって、点滅の周期の計時を行う。
発行パターン制御部１４４は、受付けた情報に基づき、発光情報の設定をした特徴点を表わす図形を、設定された発光情報で発光させて表示部１２に表示させる。
【００３０】
また、発行パターン制御部１４４は、操作部１３から発光情報を決定するか否かの情報を受付ける。発行パターン制御部１４４は、発光情報を決定することを示す情報を受け付けた場合、特徴点を表わす図形を決定された発光情報で発光させるように、発光パターン生成部１４３に発光部１６の発光領域各々の発光パターンを生成させる制御を行う。すなわち、発光パターン生成部１４３は、特徴点抽出部１４２が抽出した特徴点を表わす図形を発光部１６に表示させるように、発光領域各々の発光パターンを生成する。
発行パターン制御部１４４は、発光パターン生成部１４３に生成させた発光パターンを発光パターン記憶部１４５に記憶させる。
【００３１】
なお、発行パターン制御部１４４は、発光パターン記憶部１４５に記憶させた複数の発光パターンから、２つの前記発光パターンを表示部１２に表示させ、操作部１３の操作に基づいて携帯電話装置１のユーザに選択させて、該選択させた少なくとも２つの発光パターンを、時間順に組み合わせて発光パターンを発光パターン生成部１４３に生成させる制御を行ってもよい。すなわち、発光パターン生成部１４３は、生成した複数の発光パターンから選択された少なくとも２つの発光パターンを、時間順に組み合わせて発光パターンを生成する。
【００３２】
発行パターン制御部１４４は、は、通信部１０から着信情報が入力されると、発光パターン記憶部１４５が記憶する情報の発光パターンで、発光部１６のＬＥＤを点灯、消灯させる制御をする。これにより、発光部１６には、特徴点を表わす図形がイルミネーション表示される。すなわち、発行パターン制御部１４４は、発光パターン生成部１４３が生成した発光パターンで発光領域各々を発光させ、発光部１６に特徴点抽出部１４２が抽出した特徴点を表わす図形を表示させる。
なお、発行パターン制御部１４４は、発光パターンが時間的変化をする発光パターンである場合、例えば、ＬＥＤを点滅させる場合、計時部１５から入力された計時情報によって、点滅の周期の計時を行う。
【００３３】
計時部１５は計時を行い、この計時情報を発行パターン制御部１４４に出力する。
発光部１６は発行パターン制御部１４４の制御に従い、ＬＥＤを点灯、消灯させる。
【００３４】
＜特徴点の抽出方法について＞
以下、物体の輪郭、及び、色情報の変化の抽出方法について、図４〜図８を用いて説明をする。まず、物体の輪郭の抽出方法について、図４を用いて説明をする。
【００３５】
図４は、本実施形態に係る特徴点を表す画像の一例を示す図である。図４は、携帯電話装置１の表示部１２に表示された画像を示す。図４（ａ）は、表示部１２に表示された画像が、画像入力部１４１が受け付けた画像Ａ１であることを示し、図４（ｂ）は、表示部１２に表示された画像が、特徴点抽出部１４２が図４（ａ）の画像Ａ１から抽出した物体ａ１の輪郭を表わす画像（特徴点を表わす画像）Ａ３であることを示す。
【００３６】
特徴点抽出部１４２は、画像Ａ１中の画素の色情報と、その画素に隣接する画素の色情報を比較して、物体ａ１の輪郭ａ３１を抽出する。すなわち、特徴点抽出部１４２は、画像Ａ１中の色情報の位置的変化に基づき、画像Ａ１中の物体ａ１の輪郭を特徴点として抽出する。
例えば、特徴点抽出部１４２は、色情報の差分の差が大きい画素を輪郭として抽出する。ただし、本発明はこれに限らず、他の画像解析手段により輪郭を抽出してもよい。
【００３７】
次に、色情報の変化の抽出方法について、図５〜図７を用いて説明をする。
図５は、本実施形態に係る動画の一例を示す図である。この図は、携帯電話装置１の表示部１２に動画が表示されていることを示し、図５（ａ）、図５（ｂ）、図５（ｃ）の順に、時間が経過することを示す。
この図において、表示部１２に表示された画像Ｂ１１は、木ｂ１２に電飾ｂ１１、ｂ１３が施された画像である。また、この図において、表示部１２に表示された画像中のハッチングされた部分は、発光していることを示す。また、この図において、電飾ｂ１３、ｂ１４は、赤色の色相で発光することを示す。
【００３８】
図５（ａ）は、電飾ｂ１１が消灯、電飾ｂ１３が点灯、電飾ｂ１４が消灯していることを示す。次に、図５（ｂ）は、電飾ｂ１１が点灯、電飾ｂ１３は消灯、電飾ｂ１４が点灯していることを示す。次に、図５（ｃ）は、電飾ｂ１１が点灯、電飾ｂ１３が点灯、電飾ｂ１４が消灯していることを示す。また、図５は、表示部１２に表示された画像中のその他の物体、例えば、木ｂ１２は色情報に変化がないことを示す。
【００３９】
図６は、本実施形態に係る動画の特徴点を表す画像の一例を示す図である。図６は、携帯電話装置１の表示部１２に動画が表示されていることを示し、図６（ａ）、図６（ｂ）、図６（ｃ）の順に、時間が経過することを示す。
また、この図は、表示部１２に表示された画像が、図５の動画から色情報に変化があった画素のみ、色情報を抽出した画像であることを示す。すなわち、特徴点抽出部１４２は、動画Ｂ１１〜Ｂ１３中の色情報の時間的変化を、特徴点として抽出する。また、この図において、画像Ｂ２１〜Ｂ２３は、それぞれ、図５の画像Ｂ１１〜Ｂ１３の特徴点を抽出した画像である。
【００４０】
例えば、この図は、図５において、光の点滅によって色情報が変化した電飾ｂ１１、ｂ１３、ｂ１４をそれぞれ、図６の電飾ｂ２１、ｂ２３、ｂ２４として抽出したことを示し、また、図５において、色情報に変化がない物体、例えば、木ｂ１２の色情報は抽出されていないことを示す。例えば、画像Ｂ２１、Ｂ２３の電飾ｂ２３、及び画像Ｂ２２の電飾ｂ２４の色情報のうち、色相は赤色と抽出される。
なお、特徴点抽出部１４２が変化の有無を比較する画像は、１／１０秒単位の時間、例えば、０．２秒の経過前後の画像であるが、この時間は設定により変更できてもよい。
また、特徴点抽出部１４２は、色情報の変化があった光源のみを特徴点として抽出してもよい。この場合、特徴点抽出部１４２は、例えば、予め定めた輝度（又は明度）がある値以上に変化した画素を抽出する。
【００４１】
図７は、本実施形態に係る動画の特徴点を表す図形の一例を示す図である。図７は、携帯電話装置１の表示部１２に動画が表示されていることを示し、図７（ａ）、図７（ｂ）、図７（ｃ）の順に、時間が経過することを示す。
また、この図は、表示部１２に表示された画像が、図６の画像の解像度を変換して生成した、色情報の変化を表わす図形の画像であることを示す。また、この図において、画像Ｂ３１〜Ｂ３３は、それぞれ、図６の画像Ｂ１１〜Ｂ１３の解像度を変換して生成した図形の画像である。
例えば、この図は、図６において、電飾ｂ２１、ｂ２３、ｂ２４は、それぞれ、図形ｂ３１、ｂ３３、ｂ３４に変換されたことを示す。このとき、図形ｂ３３、ｂ３４の色情報のうち、色相は、表示領域が発光可能な色相であって、それぞれ、画像Ｂ２１、Ｂ２３の電飾ｂ２３、画像Ｂ２２のｂ２４の色相である赤色に一番近い色相として表示される。
【００４２】
また、図７（ａ）は、図形ｂ３１が消灯、図形ｂ３３が点灯していることを示す。次に、図７（ｂ）は、図形ｂ３１が点灯、図形ｂ３４が点灯していることを示す。次に、図７（ｃ）は、図形ｂ３１が点灯、図形ｂ３３が点灯していることを示す。
【００４３】
＜表示部分の変更処理について＞
以下、表示部分の変更処理について、図８を用いて説明をする。
図８は、本実施形態に係る表示部分の変更処理を説明する説明図である。図８（ａ）〜（ｃ）は、それぞれ、携帯電話装置１の表示部１２に、画像が表示されていることを示す。
【００４４】
図８（ａ）は、表示部１２に表示された画像が、画像入力部１４１が受け付けた画像Ｃ１であることを示す。また、図８（ｂ）は、表示部１２に表示された画像が、画像Ｃ１の特徴点（物体の輪郭）を抽出し、抽出した画像から生成された特徴点を表わす図形の画像Ｃ２であることを示す。
また、図８（ｂ）は、携帯電話装置１のユーザによる操作部１３の操作により、画像Ｃ２の図形ｃ２を囲むように、表示部分ｃ２１が選択されたことを示す。なお、本実施形態では、携帯電話装置１のユーザが操作部１３により、表示部分ｃ２１が選択されているが、本発明はこれに限らず、例えば、表示部１２をタッチパネルにして、表示部１２に接触、又は、表示部１２をなぞることで、表示部分ｃ２１を選択するようにしてもよい。
【００４５】
また、図８（ｃ）は、表示部１２に表示された画像が、画像Ｃ２で選択された表示部分ｃ２１を拡大して表示された画像Ｃ３であることを示し、図形ｃ３は図形ｃ２を拡大した図形であることを示す。
発光パターン生成部１４３は、このように、生成した特徴点を表わす図形について、イルミネーション表示をする部分の選択を受付けて特徴点を表わす図形を変更する。
【００４６】
＜携帯電話装置１の動作について＞
以下、携帯電話装置１の動作について説明をする。
図９は、本実施形態に係る携帯電話装置の動作を示すフロー図である。
【００４７】
（ステップＳ１０１）携帯電話装置１は、記憶する画像を表示部１２に表示し、携帯電話装置１のユーザによる操作部１３の操作により画像を選択させる。携帯電話装置１は、選択させた画像を読み出す。その後、ステップＳ１０２に進む。
（ステップＳ１０２）携帯電話装置１は、ステップＳ１０１にて読み出した画像の特徴点を抽出する。その後、ステップＳ１０３に進む。
【００４８】
（ステップＳ１０３）携帯電話装置１は、ステップＳ１０２にて抽出した特徴点を表わす図形を生成する。なお、携帯電話装置１は、初回に生成する特徴点を表わす図形については、抽出した特徴点を最も反映した図形とし、２回目以降の生成に生成する特徴点を表わす図形については、図形の一部を変更した図形を生成する。この特徴点を表わす図形の一部の変更は、例えば、輪郭や、輪郭で囲まれた内部又は外部について、発光の有無、発光する色情報、点滅の周期等の変更である。その後、ステップＳ１０４に進む。
【００４９】
（ステップＳ１０４）携帯電話装置１は、ステップＳ１０３にて生成した特徴点を表わす図形の画像を、表示部１２に表示する。その後、ステップＳ１０５に進む。
（ステップＳ１０５）携帯電話装置１は、携帯電話装置１のユーザによる操作部１３の操作により、再度、特徴点を表わす図形を生成することを示す情報が入力されたか否かを判定する。
携帯電話装置１が、再度、特徴点を表わす図形を生成することを示す情報が入力されたと判定した場合、ステップＳ１０３に進む。
一方、携帯電話装置１が、再度、特徴点を表わす図形を生成することを示す情報が入力されたと判定した場合、ステップＳ１０６に進む。
【００５０】
（ステップＳ１０６）携帯電話装置１は、携帯電話装置１のユーザによる操作部１３の操作により、ステップＳ１０３で生成した特徴点を表わす図形のうちイルミネーション表示をする表示部分の変更、表示する図形の大きさ及び配置の変更をすることを示す情報が入力されたか否かを判定する。
携帯電話装置１が、表示部分の変更、表示する図形の大きさ及び配置の変更をすることを示す情報が入力されたと判定した場合、ステップＳ１０７に進む。
一方、携帯電話装置１が、表示部分の変更、表示する図形の大きさ及び配置の変更をすることを示す情報が入力されないと判定した場合、ステップＳ１０９に進む。
【００５１】
（ステップＳ１０７）携帯電話装置１は、ステップＳ１０３にて生成した特徴点を表わす図形のうち、イルミネーション表示をする表示部分の変更（図９参照）を受付け、ステップＳ１０３にて生成した特徴点を表わす図形を、変更を受け付けた表示部分の図形に変更する。その後、ステップＳ１０７に進む。
【００５２】
（ステップＳ１０８）携帯電話装置１は、ステップＳ１０７にて変更した特徴点を表わす図形の大きさ及び配置の変更を受付け、ステップＳ１０７にて変更した特徴点を表わす図形を、変更を受け付けた大きさ及び配置の図形に変更する。その後、ステップＳ１０９に進む。
【００５３】
（ステップＳ１０９）携帯電話装置１は、ステップＳ１０８にて変更した特徴点を表わす図形、又は、ステップＳ１０３にて生成した特徴点を表わす図形の発光情報の設定を受け付ける。この発光情報の設定は、例えば、輪郭や、輪郭で囲まれた内部又は外部について、発光の有無、発光する色情報、点滅の周期等の設定である。その後、ステップＳ１１０に進む。
【００５４】
（ステップＳ１１０）携帯電話装置１は、ステップＳ１０８にて変更した特徴点を表わす図形、又は、ステップＳ１０３にて生成した特徴点を表わす図形を、ステップＳ１０９にて受け付けた発光情報で発光させて表示する。その後、ステップＳ１１１に進む。
【００５５】
（ステップＳ１１１）携帯電話装置１は、発光情報を決定するか否かの情報を受付ける。携帯電話１が発光情報を決定することを示す情報を受け付けた場合、ステップＳ１１２に進む。一方、携帯電話１が発光情報を決定しないことを示す情報を受け付けた場合、ステップＳ１０９に進む。
【００５６】
（ステップＳ１１２）携帯電話装置１は、ステップＳ１０８にて変更した特徴点を表わす図形、又は、ステップＳ１０３にて生成した特徴点を表わす図形を、ステップＳ１１１にて決定された発光情報でイルミネーション表示させるように、発光領域各々の発光パターンを生成する。その後、ステップＳ１１３に進む。
【００５７】
（ステップＳ１１３）携帯電話装置１は、着信があったか否かを判定する。携帯電話装置１が、着信があったと判定した場合、ステップＳ１１４に進む。一方、携帯電話装置１が、着信がなかったと判定した場合、ステップ１１３に進む。
（ステップＳ１１４）携帯電話装置１は、ステップＳ１１２で生成した発光パターンで発光領域を点灯、消滅させて、着信情報を報知する。
【００５８】
＜変形例＞
上述した実施形態において、携帯電話１は、着信情報を報知した。しかし、本発明はこれに限らず、その他のイベントが発生した場合に、その情報を報知させてもよい。例えば、携帯電話１は、ユーザが設定した時刻を記憶するスケジュール管理機能や、ユーザが設定した時刻に音を発生させる目覚し機能を備え、設定した時刻になると、光領域を点灯、消滅させることにより、設定した時刻に到達したことを報知してもよい。
【００５９】
この場合、携帯電話１は、ユーザが設定した時刻（以下、設定時刻という）を記憶し、設定時刻と現在時刻とが一致するか否かを判定する。判定の結果、設定時刻と現在時刻とが一致する場合、携帯電話１は、生成した発光パターンで発光領域を点灯、消滅させて、設定時刻に到達したことを報知する。
なお、この場合、スケジュールの内容や設定した時刻毎に発光パターンを変えてもよい。また、この発光パターンは、スケジュールの内容や設定した時刻毎に予めユーザが設定した発光パターンでもよいし、携帯電話１が、予めユーザから設定された複数の発光パターンからランダムに選択した発光パターンであってもよい。
以下、この変形例に係る動作について説明をする。
【００６０】
図１０は、本実施形態に係る携帯電話装置の別の動作を示すフロー図である。
本変形例に係るフロー図（図１０）と、上述の実施形態に係るフロー図（図９）とを比較すると、ステップＳ２００、及びステップＳ２１３が異なる。しかし、他の動作（ステップＳ１０１〜Ｓ１１２、ステップＳ１１４）は、同じであるので、図１０のフロー図と図９のフロー図とが同じ動作については説明を省略する。
【００６１】
（ステップＳ２００）携帯電話装置１のユーザは、スケジュールの登録、目覚しの設定により、設定時刻を設定する。携帯電話装置１は、設定された設定時刻を記憶する。その後、ステップＳ１０１に進む。
（ステップＳ２１３）携帯電話装置１は、設定時刻と現在時刻が一致しているか否かを判定する。携帯電話装置１が、設定時刻と現在時刻が一致していると判定した場合、ステップＳ１１４に進む。一方、携帯電話装置１が、設定時刻と現在時刻が一致していないと判定した場合、ステップ１１３に進む。
【００６２】
このように、本実施形態によれば、携帯電話装置１は、入力された画像の色情報に基づき、該画像の特徴点を抽出し、抽出した特徴点を発光部１２に表示させるように、発光領域各々の発光パターンを生成して、生成した発光パターンで発光領域各々を発光させ、発光部１２に抽出した特徴点を表わす図形を表示させることにより、着信等の情報を報知する。これにより、携帯電話装置１は、個性的なイルミネーション表示となる発光パターンを確実かつ迅速に作成して報知に用いることができる。
【００６３】
また、本実施形態によれば、携帯電話装置１は、画像中の物体の輪郭を特徴点として抽出し、抽出した特徴点を表わす図形を表示させることにより、着信等の情報を報知する。これにより、携帯電話装置１は、携帯電話装置１のユーザ所望の輪郭を有する物体の画像を入力することで、該輪郭をイルミネーション表示する発光パターンを確実かつ迅速に作成して報知に用いることができる。
【００６４】
また、本実施形態によれば、携帯電話装置１は、動画中の色情報の時間的変化を、特徴点として抽出し、抽出した特徴点を表わす図形を表示させることにより、着信等の情報を報知する。これにより、携帯電話装置１は、色情報が時間的変化をするイルミネーション表示の発光パターンを確実かつ迅速に作成して報知に用いることができる。
【００６５】
また、本実施形態によれば、携帯電話装置１は、予め生成した複数の発光パターンから選択された少なくとも２つの発光パターンを、時間順に組み合わせて発光パターンを生成する。これにより、携帯電話装置のユーザ所望のイルミネーション表示を時間順に組み合わせた発光パターンを確実かつ迅速に作成して報知に用いることができる
【００６６】
また、本実施形態によれば、携帯電話装置１は、撮像した画像の入力を受付けて特徴点を抽出し、抽出した特徴点を表わす図形を表示させることにより、着信等の情報を報知する。これにより、携帯電話装置１は、撮像した画像により、個性的なイルミネーション表示となる発光パターンを確実かつ迅速に作成して報知に用いることができる。
【００６７】
また、本実施形態によれば、携帯電話装置１について説明をしたが、本発明はこれに限らず、ＰＨＳ（Ｐｅｒｓｏｎａｌ  Ｈａｎｄｙ−ｐｈｏｎｅ  Ｓｙｓｔｅｍ）や衛星電話、ＰＤＡ（Ｐｅｒｓｏｎａｌ Ｄｉｇｉｔａｌ Ａｓｓｉｓｔａｎｔ）やスマートフォン等の携帯通信装置であってもよい。また、携帯通信装置は、他の物と比較して人が携帯する時間が長く、その装置の持ち主のみならず他の者に目に触れる機会が多いものである。よって、携帯通信装置に、個性的なイルミネーション表示となる発光パターンを確実かつ迅速に作成して報知に用いることができれば、他の装置と比較して、個性的なイルミネーション表示を多くの者に見せることができる。
【００６８】
また、上記実施形態において、携帯電話装置１が物体の輪郭、又は、色情報の変化を特徴点とする場合について、本発明はこれに限らず、複数の特徴点を組み合わせて、特徴点としてもよい。例えば、物体の輪郭及び色情報の変化を特徴点として、両特徴点を表わす図形を表示させることにより、着信等の情報を報知してもよい。
【００６９】
また、上記実施形態において、携帯電話装置１が物体の輪郭、又は、色情報の変化を特徴点として抽出する場合について説明したが、本発明はこれに限らず、光源を特徴点としてもよい。
例えば、携帯電話装置１は、輝度、彩度、又は光度が予め定めた値を超えた画素を光源とする。また、携帯電話装置１は、入力を受け付ける画像に、撮像時に波長計で測定した波長情報を付加しておき、波長情報に基づき光源を特定してもよい。例えば、蛍光灯は、２５３．７ｎｍ、また、３波長蛍光灯は、青色域が４５０ｎｍ、緑色域が５４０ｎｍ、赤色域が６１０ｎｍ、また、ＬＥＤは、青色が４５０ｎｍ、緑色が５２０ｎｍ、黄色が５９０ｎｍ、赤色が６６０ｎｍ、と波長が決まっているので、波長情報の波長のうち、この値に近い波長を発光する部分の色情報を、光源の色情報として抽出すればよい。また、波長を分析することにより、直接光か間接光であるかも判別してもよい。
【００７０】
また、上記実施形態において、画像データ記憶部１４０、及び発光パターン記憶部１４５は、データを保持するものであり、磁気ハードディスク装置あるいは半導体メモリを用いて実現される。また、画像データ記憶部１４０、及び発光パターン記憶部１４５を、ＵＳＢ（Ｕｎｉｖｅｒｓａｌ  Ｓｅｒｉａｌ  Ｂｕｓ：ユニバーサル・シリアル・バス）メモリや、メモリーカード等、携帯電話装置１から取り外し可能な記憶媒体で実現してもよい。このように、画像データ記憶部１４０、及び発光パターン記憶部１４５は、制御部１４の外部の記憶装置、記憶媒体であってもよいし、また、携帯電話装置１の外部にあって、接続により読み込み可能な記憶装置、記憶媒体であってもよい。
【００７１】
なお、上述した実施形態における携帯電話装置１の一部、例えば、画像入力部１４１、特徴点抽出部１４２、発光パターン生成部１４３、及び発行パターン制御部１４４をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、携帯電話装置１に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００７２】
以上、図面を参照してこの発明の一実施形態について詳しく説明してきたが、具体的な構成は上述のものに限られることはなく、この発明の要旨を逸脱しない範囲内において様々な設計変更等をすることが可能である。
【図面の簡単な説明】
【００７３】
【図１】この発明の実施形態に係る携帯電話装置の外観を示す概略的外観図である。
【図２】本実施形態に係る携帯電話装置の外観を示す別の概略的外観図である。
【図３】本実施形態に係る携帯電話装置の構成を示す概略的ブロック図である。
【図４】本実施形態に係る特徴点を表す画像の一例を示す図である。
【図５】本実施形態に係る動画の一例を示す図である。
【図６】本実施形態に係る動画の特徴点を表す画像の一例を示す図である。
【図７】本実施形態に係る動画の特徴点を表す図形の一例を示す図である。
【図８】本実施形態に係る表示部分の変更処理を説明する説明図である。
【図９】本実施形態に係る携帯電話装置の動作を示すフロー図である。
【図１０】本実施形態に係る携帯電話装置の別の動作を示すフロー図である。
【符号の説明】
【００７４】
１・・・携帯電話装置、１０・・・通信部、１１・・・撮像部、１２・・・表示部、１３・・・操作部、１４・・・制御部
１４０・・・画像データ記憶部、１４１・・・画像入力部、１４２・・・特徴点抽出部、１４３・・・発光パターン生成部、１４４・・・発行パターン制御部、１４５・・・発光パターン記憶部
【図１】
2010102097.tif 000003
【図２】
2010102097.tif 000004
【図３】
2010102097.tif 000005
【図４】
2010102097.tif 000006
【図５】
2010102097.tif 000007
【図６】
2010102097.tif 000008
【図７】
2010102097.tif 000009
【図８】
2010102097.tif 000010
【図９】
2010102097.tif 000011
【図１０】
2010102097.tif 000012